(57)【特許請求の範囲】
【請求項１】
磁性金属材からなるパイプハウス用の骨格体構成材部の一部あるいは殆ど全てに渡り、その軸心回り所定方向に電気的絶縁層を有する導線が捲着された上、所定量の直流電流を通電し、骨格体の全体に渡って、あるいは所用箇所を重点的に磁場が形成されるようにしたことを特徴とする鳥類忌避型パイプハウス。
【請求項２】
磁性金属材からなる複数本の支柱材部と、それら支柱材部によって所定高さに支持される磁性金属材製の屋根型材部とを骨格体構成材部としてパイプハウス用の骨格体を形成した上、該骨格体の支柱材部または屋根型材部の何れか一部あるいは殆ど全てに渡り、その軸心回り所定方向に電気的絶縁層を有する導線が捲着され、所定量の直流電流を通電可能とすることにより、骨格体の全体に渡って、あるいは所用箇所を重点的に磁場が形成されるようにしたことを特徴とする鳥類忌避型パイプハウス。
【請求項３】
磁性金属材からなる複数本の支柱材部と、それら支柱材部によって所定高さに支持される磁性金属材製の屋根型材部とを骨格体構成材部としてパイプハウス用の骨格体を形成した上、該骨格体の支柱材部または屋根型材部の何れか一部あるいは殆ど全てに渡り、その軸心回り所定方向に電気的絶縁層を有する導線が捲着され、該導線の一端側に直流電源のプラスを、同他端側にマイナスを夫々接続し、所定量の直流電流を通電可能とすることにより、直流電流の供給を受けた導線が、磁性金属材からなる骨格体の全体に渡って、あるいは所用箇所を重点的に磁場が形成されるようにしたことを特徴とする鳥類忌避型パイプハウス。
【請求項４】
磁性金属材からなる複数本の支柱材部と、それら支柱材部によって所定高さに支持される磁性金属材製の屋根型材部とを骨格体構成材部としてパイプハウス用の骨格体を形成した上、該骨格体の平面対角位置に配置された一対の支柱材部軸心回り所定方向に、電気的絶縁層を有する導線が、骨格体構成材部の連接方向に順次、同一磁極を発生可能とするようにして捲着されると共に、各導線の一端側を、夫々捲着された支柱材部または屋根型材部の近接部位に電気的に接続し、何れか一方の導線他端側には直流電源のプラスを、何れか他方の導線他端側には直流電源のマイナスを夫々接続することにより、所定量の直流電流が屋根型材部を通じて通電可能とし、磁性金属材からなる骨格体の全体に渡って、あるいは所用箇所を重点的に磁場が形成されるようにしたことを特徴とする鳥類忌避型パイプハウス。
【請求項５】
磁性金属材からなる複数本の支柱材部と、それら支柱材部によって所定高さに支持される磁性金属材製の屋根型材部とを骨格体構成材部としてパイプハウス用の骨格体を形成した上、該骨格体の平面対角位置に配置された一対の支柱材部軸心回り所定方向に、電気的絶縁層を有する導線が、骨格体構成材部の連接方向に順次、同一磁極を発生可能とするようにして捲着されると共に、各導線の一端側を直流電源のプラスに、各導線の他端側を直流電源のマイナス側に夫々直接的に接続して所定量の直流電流を通電可能とすることにより、直流電流の供給を受けた導線が、磁性金属材からなる骨格体の全体に渡って、あるいは所用箇所を重点的に磁場が形成されるようにしたことを特徴とする鳥類忌避型パイプハウス。
【請求項６】
磁性金属材からなる複数本の支柱材部と、それら支柱材部によって所定高さに支持される磁性金属材製の屋根型材部とを骨格体構成材部としてパイプハウス用の骨格体を形成した上、該骨格体の平面対角位置に配置された一対の支柱材部および屋根型材部の殆ど全てに渡り、骨格体構成材部の連接方向に順次、同一磁極を発生可能とするよう、その軸心回り所定方向に電気的絶縁層を有する導線が捲着され、平面対角位置に配置された一対の中の、一方の支柱材部に捲着された導線の端部に直流電源のプラスを、平面対角位置に配置された一対の中の他方の支柱材部に捲着された導線の端部に直流電源のマイナスを夫々接続して所定量の直流電流を通電可能とすることにより、直流電流の供給を受けた導線が、磁性金属材からなる骨格体の全体に渡って、あるいは所用箇所を重点的に磁場が形成されるようにしたことを特徴とする鳥類忌避型パイプハウス。
【請求項７】
骨格体構成材部の中の屋根型材部に直接接続可能とするか、同支柱材部の一部として組み込み可能とするかした別体のものであって、機械的、磁気的および電気的な接続構造を有する磁性金属材製の骨材部を有し、その軸心回り所定方向に、電気的絶縁層を有する導線が、骨格体構成材部の連接方向に順次、同一磁極を発生可能とするようにして捲着されると共に、何れか一端側を骨材部に電気的に接続するか、あるいは直流電源のプラスまたはマイナスの何れか一方の電極に接続されるものとし、何れか他端側を直流電源のプラスまたはマイナスの何れか他方の電極に接続するか、あるいは支柱材部に電気的に接続したものとしてなる、請求項１ないし６何れか記載の鳥類忌避型パイプハウスに使用する磁力発生用組込み体。
【請求項８】
骨格体構成材部の中の屋根型材部に直接接続可能とするか、同支柱材部の一部として組み込み可能とするかした別体のものであって、機械的、磁気的および電気的な接続構造を有する磁性金属材製の骨材部を有し、その軸心回り所定方向に、電気的絶縁層を有する導線が、骨格体構成材部の連接方向に順次、同一磁極を発生可能とするようにして捲着されると共に、何れか一端側を組込み対象となる屋根型材部もしくは支柱材部、または近傍に位置する屋根型材部もしくは支柱材部に電気的に接続するか、あるいは直流電源のプラスもしくはマイナスの何れか一方の電極に接続されるものとし、何れか他端側を直流電源のプラスもしくはマイナスの何れか他方の電極に接続するか、あるいは組込み対象となる屋根型材部もしくは支柱材部、または近傍に位置する屋根型材部もしくは支柱材部に電気的に接続したものとしてなる、請求項１ないし６何れか記載の鳥類忌避型パイプハウスに使用する磁力発生用組込み体。
【発明の詳細な説明】
【０００１】
【発明の目的】
この発明は、サクランボやブドウ等の果実をはじめとする農作物の施設栽培に広く用いられるパイプハウスに関するものであって、特に、風雨や霜等をしのぐという目的を果たすだけではなく、野鳥の接近をも妨害し得るようにした新規な構造からなる鳥類忌避型パイプハウス、およびそれに使用する新規な構造の磁力発生装置を提供しようとするものである。
【０００２】
【従来の技術】
我が国の果実栽培の中でも特にサクランボの栽培は、連年の収穫期を終えた７月から８月頃の花芽分化期初めに礼肥を施し、１０月末頃に始まる落葉期から、翌年の３月末頃までの休眠期にノネズミの防除や、元肥、剪定作業等を行い、４月中旬頃から始まる発芽、開花期に灰星病の防除を施す必要があり、５月中旬頃からの新梢伸長期、果実肥大期には、梅雨期とも重なるため、ビニールハウスやテントのような防雨施設を設置し、裂果防止対策を徹底しなければならず、栽培農家は、品質の高いサクランボを収穫するために、年間を通じて多額の投資した上、細心の注意を払った手間の掛かる多くの作業を繰り返して行わなければならない。
【０００３】
このように多くの資財と労働力とを投じ、丹精込めて育成したサクランボも、充分に成熟して収穫期を迎える頃には、裂果を防止するビニールハウスやテントは、サクランボに適した冷涼な環境を確保するため、側面部の殆どを開放し、その屋根部分だけが雨露防止目的で透明なビニールシートを装着した構造とせざるを得ない状況となっていることから、果樹の周りは、この時期にタイミングを合わせたかのように夏鳥として日本に飛来するコムクドリやムクドリといった野鳥の侵入し易い環境下に置かれてしまっていて、自由に飛び交っては収穫を直前に控えた甘くて良好な果実を選んで群がり啄み、食い荒らされてしまうことが多く、餌となって傷付けられてしまった果実は、その商品価値を一遍に失ってしまい、園芸農家は多大な損害を被ることとなってしまう。
【０００４】
こうした野鳥による損害を未然に防ぐため、果樹園内の要所要所に、所定時間毎に間欠的に暴発音を発生させる野鳥撃退用装置を設置したり、野鳥が恐れる大型の目を象った反射表示を施した円板を吊り下げたり、大型の猛禽類に似せた模型を、所定高さ位置に水平状に張り渡した紐に吊り下げ、所定時間毎に、紐伝いに猛スピードで移動させて野鳥を威嚇する装置等を仕掛ける等、様々な手段が講じられているが、何れも設置後、しばらくは効果を発揮して野鳥の侵入を阻止することができるものの、しばらくして無害なことを察知されてしまうと、野鳥は再び園内に飛来して果実を啄み、被害を被ることになるという実態の繰り返しであって、これら従前からの威嚇、撃退装置類は、多額の設備投資をしたにも拘らず、長期に渡る安定した効果が得難い上、裂果防止用のビニールハウスやテント等に併設され、それなりの設置スペースを占拠してしまって収穫用の運搬機械や農薬散布機械等の走行移動の障害となり、効率的な農作業の妨げとなってしまうといった不都合等もあり、作業の効率化や人件費の削減等経営の合理化を願う園芸農家にとって、この鳥害対策は未だ解決できていない厄介な課題のままとなっている。
【０００５】
この発明は、以上のように、サクランボを栽培する園芸農家が、収穫期に飛来するムクドリやコムクドリ等といった野鳥に果実を傷付けられ、多大の損害を受けて苦しんでいるという事情に鑑み、特段の設置スペースを必要とせずに、長期に渡って野鳥の忌避効果を経済的に維持し続けることが可能となるようにする手段はないものかとの判断から、逸速くその開発、研究に着手し、度重なる試行錯誤と幾多の試作、実験とを繰り返してきた結果、今回、遂に新規な構造の鳥類忌避型パイプハウス、およびそれに使用する新規な構造の磁力発生用組込み体を実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明に包含される鳥類忌避型パイプハウスは、基本的に次のような構成から成り立っている。
即ち、磁性金属材からなるパイプハウス用の骨格体構成材部の一部あるいは殆ど全てに渡り、その軸心回り所定方向に電気的絶縁層を有する導線が捲着された上、所定量の直流電流を通電し、骨格体の全体に渡って、あるいは所用箇所を重点的に磁場が形成されるように構成された鳥類忌避型パイプハウスである。
【０００７】
この基本的な構成からなる鳥類忌避型パイプハウスを、より具体的な構成で示すと、磁性金属材からなる複数本の支柱材部と、それら支柱材部によって所定高さに支持される磁性金属材製の屋根型材部とにより、パイプハウス用の骨格体を形成した上、該骨格体の支柱材部または屋根型材部の何れか一部あるいは殆ど全てに渡り、その軸心回り所定方向に電気的絶縁層を有する導線が捲着され、所定量の直流電流を通電可能とすることにより、骨格体の全体に渡って、あるいは所用箇所を重点的に磁場が形成されるよう構成した鳥類忌避型パイプハウスということができる。
【０００８】
更に具体的には、磁性金属材からなる複数本の支柱材部と、それら支柱材部によって所定高さに支持される磁性金属材製の屋根型材部とにより、パイプハウス用の骨格体を形成した上、該骨格体の支柱材部または屋根型材部の何れか一部あるいは殆ど全てに渡り、その軸心回り所定方向に電気的絶縁層を有する導線が捲着され、該導線の一端側に直流電源のプラスを、同他端側にマイナスを夫々接続し、所定量の直流電流を通電可能とすることにより、直流電流の供給を受けた導線が、磁性金属材からなる骨格体の全体に渡って、あるいは所用箇所を重点的に磁場が形成されるようにした構成を要旨とする鳥類忌避型パイプハウスであるということができる。
【０００９】
また、この発明の鳥類忌避型パイプハウスには、磁性金属材からなる複数本の支柱材部と、それら支柱材部によって所定高さに支持される磁性金属材製の屋根型材部とにより、パイプハウス用の骨格体を形成した上、該骨格体の平面対角位置に配置された一対の支柱材部軸心回り所定方向に、電気的絶縁層を有する導線が、骨格体構成材部の連接方向に順次、同一磁極を発生可能とするようにして捲着されると共に、各導線の一端側を、夫々捲着された支柱材部または屋根型材部の近接部位に電気的に接続し、何れか一方の導線他端側には直流電源のプラスを、何れか他方の導線他端側には直流電源のマイナスを夫々接続することにより、所定量の直流電流が屋根型材部を通じて通電可能とし、磁性金属材からなる骨格体の全体に渡って、あるいは所用箇所を重点的に磁場が形成されるように構成した鳥類忌避型パイプハウスも包含される。
【００１０】
同様に、この発明には、磁性金属材からなる複数本の支柱材部と、それら支柱材部によって所定高さに支持される磁性金属材製の屋根型材部とにより、パイプハウス用の骨格体を形成した上、該骨格体の平面対角位置に配置された一対の支柱材部軸心回り所定方向に、電気的絶縁層を有する導線が、骨格体構成材部の連接方向に順次、同一磁極を発生可能とするようにして捲着されると共に、各導線の一端側を直流電源のプラスに、各導線の他端側を直流電源のマイナス側に夫々直接的に接続して所定量の直流電流を通電可能とすることにより、直流電流の供給を受けた導線が、磁性金属材からなる骨格体の全体に渡って、あるいは所用箇所を重点的に磁場が形成されるように構成した鳥類忌避型パイプハウスが包含されるものである。
【００１１】
更に、磁性金属材からなる複数本の支柱材部と、それら支柱材部によって所定高さに支持される磁性金属材製の屋根型材部とにより、パイプハウス用の骨格体を形成した上、該骨格体の平面対角位置に配置された一対の支柱材部および屋根型材部の殆ど全てに渡り、骨格体構成材部の連接方向に順次、同一磁極を発生可能とするよう、その軸心回り所定方向に電気的絶縁層を有する導線が捲着され、平面対角位置に配置された一対の中の、一方の支柱材部に捲着された導線の端部に直流電源のプラスを、平面対角位置に配置された一対の中の他方の支柱材部に捲着された導線の端部に直流電源のマイナスを夫々接続して所定量の直流電流を通電可能とすることにより、直流電流の供給を受けた導線が、磁性金属材からなる骨格体の全体に渡って、あるいは所用箇所を重点的に磁場が形成されるようにした構成を要旨とする鳥類忌避型パイプハウスが含まれる。
【００１２】
骨格体は、鳥類忌避型パイプハウスの基本的な骨組み構造を形成する機能を果たすものであって、殆どの部分を磁性素材から製造されたものとしなければならず、丸屋根型や両屋根型といった屋根部を有する覆い形状に組み立てられた単棟タイプまたは連棟タイプの骨格体構成材部から形成されたものとし、必要に応じて良好な電気伝導性を有する素材を選択すべきであり、軟鉄や鋼鉄等の磁性金属や、磁性を有する金属粉を混入した複合強化プラスチック等からなる棒材、パイプ材等を組み合わせたものとし、屋根部分に、ビニールシートや寒冷紗等のシートを被着できる程度の強度を持つものに形成する必要があり、電流の影響を受けて磁化しやすい軟鉄製パイプからなる複数本の支柱材部、および該複数本の支柱材部によって所定高さに支持された、同用の軟鉄製パイプを組み合わせてなる屋根型材部から構成されたものとするのがよい。
【００１３】
屋根型材部は、骨格体構成材部の屋根部分を形成する機能を果たすものであり、コイル状に捲着された導線を流れる電流による影響、または、周囲に発生された磁界による影響、もしくは軸心回りを螺旋状に通過する電流、および周囲に発生する磁界の両方の影響を受けて磁化される磁性素材から形成しなければならず、磁性素材の中でも比較的磁化され易く、充分な機械的強度を確保できる軟鉄や磁化され易いよう熱処理を施した鋼鉄製の棒材またはパイプ材等を組み合わせ、丸屋根型または両屋根型等に形成したものとするのが望ましく、必要に応じて電気伝導性に優れた金属素材を選択することができる外、磁性を有するステンレスといった耐腐食性に優れる素材や、亜鉛鍍金を施した鉄パイプのような耐食被膜を有する材料等を選択することが可能である。
【００１４】
支柱材部は、骨格体構成材部の支柱部分を形成し、屋根型材部を所定高さに支持する機能を果たすものであって、複数本が屋根型材部の複数箇所を下支えするよう一体化したもの、あるいは、屋根型材部とは別体であって連結、一体化可能な構造とし、屋根型材部の素材と同じか、略同等の磁性素材から形成しなければならず、充分な強度を確保できる軟鉄や熱処理を施した鋼鉄製の棒材またはパイプ材等を用いるのが望ましく、必要に応じて電気伝導性を有する金属素材を選択し、あるいは良好な導電性を有する金属被膜をパイプ材の内外壁面の何れかに施し、同金属被膜に対して、導線を通電状態に接続可能とした素材等が選択できる外、磁性をもつステンレス棒材や亜鉛鍍金鋼管等のような耐腐食性に優れる素材を選択することが可能である。
【００１５】
導線は、捲着した骨格体構成材部の軸心方向端側に磁極を生じるよう、該構成材部外周側に螺旋状の電流が流れる電気回路部を形成する機能を果たすものであり、必要量の電流の通過によってもできるだけ発熱しない電気の良導体から形成しなければならず、少なくとも捲回の対象となる骨格体構成材部との間に絶縁用のシートを装着したり、あるいは導線自体を合成樹脂やエナメル等からなる絶縁層で覆う等して、漏電を生じぬよう絶縁被膜を有するものとし、両端部が、必ず直接か、または骨格体構成材部や他の配線回路等の何れかの経路を通じて直流電源に接続されるよう結線しなければならず、また、より強い磁界の発生を得ることができるよう捲回数を増加させるため、多層巻きに重ねた捲回構造とすることも当然可能である。
【００１６】
電気的絶縁層は、導線に流れる電流の漏電を阻止する機能を果たすものであり、電気を遮断し、導線周囲に磁界が発生するのを妨げない素材から形成しなければならず、導線を外力による破損や気温の変化、紫外線等の自然環境による劣化等からある程度保護できる素材や構造とすべきであり、同様の耐久強度と経済性を有する素材であれば、より軽量で薄肉な素材を優先して選択するのが望ましく、絶縁層の導線に沿う一部帯状表面部に、予め粘着剤を塗着した上、剥離紙を被着したものとし、捲着作業の際に、剥離紙を剥がしならがら骨格構成材部の外周壁面に対して順次捲回、固着できるよう構成することも可能である。
【００１７】
直流電源は、骨格体構成材部に捲回された導線に所定量の電流を供給する機能を果たすものであって、導線が捲回された骨格体構成材部を充分に磁化できる程度の電流を供給できる電圧を有するものとしなければならず、家庭用、事業用に供給を受けた交流電源を直流に変換したもの、または発電機によって発電されるか、あるいは、バッテリーに一時的に充電されたもの等とし、安定した電力の供給を果たすことができる電源を用いるべきであり、電流の供給、停止または電流のプラス、マイナス方向を所定時間毎に自動的に繰り返す自動制御回路や、小動物の接近を検知した際に、同様の電流操作を自動で行う制御回路、あるいは小動物の接近を検知した際に、起動して電流の供給を開始する自動制御回路等を添設したものとすることができる。
【００１８】
【関連する発明】
上記した鳥類忌避型パイプハウスに関連し、この発明には、その骨格体に組み込まれ、磁界を発生可能とする磁力発生用組込み体も包含しており、その構成の要旨は、基本的に次のとおりのものである。
即ち、屋根型枠材部に直接接続可能とするか、支柱材部の一部として組み込み可能とするかした別体のものであって、機械的、磁気的および電気的な接続構造を有する磁性金属材製の骨材部を有し、その軸心回り所定方向に、電気的絶縁層を有する導線が、骨格体構成材部の連接方向に順次、同一磁極を発生可能とするようにして捲着されると共に、何れか一端側を骨材部に電気的に接続するか、あるいは直流電源のプラスまたはマイナスの何れか一方の電極に接続されるものとし、何れか他端側を直流電源のプラスまたはマイナスの何れか他方の電極に接続するか、あるいは支柱材部に電気的に接続したものとしてなる構成を要旨とする鳥類忌避型パイプハウスに使用する磁力発生用組込み体である。
【００１９】
この基本的な構成の磁力発生用組込み体は、より具体的には、屋根型枠材部に直接接続可能とするか、支柱材部の一部として組み込み可能とするかした別体のものであって、機械的、磁気的および電気的な接続構造を有する磁性金属材製の骨材部を有し、その軸心回り所定方向に、電気的絶縁層を有する導線が、骨格体構成材部の連接方向に順次、同一磁極を発生可能とするようにして捲着されると共に、何れか一端側を組込み対象となる屋根型枠材部もしくは支柱材部、または近傍に位置する屋根型枠材部もしくは支柱材部に電気的に接続するか、あるいは直流電源のプラスもしくはマイナスの何れか一方の電極に接続されるものとし、何れか他端側を直流電源のプラスもしくはマイナスの何れか他方の電極に接続するか、あるいは組込み対象となる屋根型枠材部もしくは支柱材部、または近傍に位置する屋根型枠材部もしくは支柱材部に電気的に接続したものとしてなる構成を要旨とする鳥類忌避型パイプハウスに使用する磁力発生用組込み体であるということができる。
【００２０】
骨材部は、骨格体の一部を形成すると共に、電磁石の鉄心の機能を果たすものであり、パイプハウスを形成する他の骨材部に準ずる形状および構造を有して、既存のパイプハウスであっても簡単な作業で組み込み、あるいは交換できるものとすべきであって、例えば、外周壁面に導線を捲着可能な磁性金属材製の棒材あるいはパイプ材等から形成し、連結金具や連結ピン等を用いて機械的に接続しさえすれば、充分な連結強度を確保したまま、連接された他の骨材部の周囲にも磁界を発生する、磁力を伝えることができる構造となるようにする等、特別な配線を施さずとも、接続した他の骨材部と電気的に接続される構成とするのが望ましい。
【００２１】
また、必要があれば、電気的絶縁被膜を形成した導線を、組込み対象となる屋根型枠材部もしくは支柱材部の軸心方向に順次、同一磁極を発生可能とするよう、軸心回り所定方向に捲回し、所定量の直流電流を通電可能とすると共に、該導線の螺旋状の隙間には比較的軟質な合成樹脂を充填し、組込み対象となる屋根型枠材部もしくは支柱材部に略同心状に装着可能な所定長の筒型に形成されてなる鳥類忌避型パイプハウスに使用する磁力発生用組込み体とし、屋根型枠材部または支柱材部等の骨格体構成材部に脱着可能に装着し、通電によって骨格体構成材部を磁化できるものに形成することも可能である。
以下では、図面に示すこの発明を代表する実施例と共に、その構造について詳述することとする。
【００２２】
【実施例１】
図１の鳥類忌避型パイプハウスの斜視図に示される事例は、パイプハウスの平面対角位置に配置された一対の支柱材部の夫々の軸心回り所定方向に、導線を捲着し、該導線の夫々に骨格体構成材部の連接方向に順次、同一磁極を発生可能とするよう直流電源を接続した基本的構成からなるこの発明に包含される鳥類忌避型パイプハウスにおける代表的な一実施例を示すものである。
当該鳥類忌避型パイプハウスは、屋根型枠材部２および四本の支柱材部３，３，……等の複数の構成材部を組み合わせてなる骨格体１から形成されており、該骨格体１の屋根型枠材部２のみにビニールシートを被着させ、雨よけとしたり、骨格体１の全体にビニールシートを装着してビニールハウスとすることも可能である外、屋根型枠材部２のみ、または全体に寒冷紗を装着して遮光用あるいは霜よけ用のハウスとして使用できるよう構成することができる。
【００２３】
屋根型枠材部２は、アーチ型に湾曲させた複数本の軟鉄製パイプ材部２１，２１，……を、奥行方向の所定間隔毎に配列し、同奥行方向の両端に位置する一対の湾曲パイプ材部２１，２１の夫々の両端部間に、水平状の棒状パイプからなる梁材部２２，２２を配置し、図示していない軟鉄製の連結金具を用いて弓形枠体を形成すると共に、該一対の弓形枠体の端部間に、奥行方向に軸心を向けた水平棒状の長尺パイプ材からなる梁材部２２，２２を掛け渡し、その両端部を図示しない軟鉄製の連結金具で連結した上、該長尺梁材部２２，２２の中途部には、奥行方向に配列されたアーチ型軟鉄パイプ材部２１，２１の夫々の端部が、軟鉄製の連結金具によって一体に連結され、平面矩形状をなす丸屋根型に形成したものとなっており、該屋根型枠材部２の平面四角部の夫々には、地上に立設された四本の支柱材部３，３，……の各上端部が、図示していない軟鉄製の連結金具を介して連結されたものとなっている。
【００２４】
このようにして構成されたパイプハウスの平面対角位置に配置された一対の支柱材部３，３の夫々には、その軸心回り一方方向に、合成樹脂製の絶縁被膜を有する導線４が捲回され、一方の支柱材部３に捲回された導線４の一端を、直流電源であるバッテリー５のプラス極に接続し、同他端を直近の屋根型枠材部湾曲パイプ材部２１に、ろう付けあるいは捻子止めする等して電気的に接続したものとなっており、また、他方の支柱材部３に捲着した導線４の一端を前記バッテリー５のマイナス極に接続し、同他端を直近の屋根型枠材部湾曲パイプ材部２１に、電気的に接続することにより、バッテリー５のプラス極、一方の支柱材部３に捲着された導線４、屋根型枠材部２、他方の支柱材部３に捲回された導線４、並びに、バッテリー５のマイナス極の順に直列接続された電気的閉回路を形成したものとなっている。
【００２５】
また、平面対角位置に配置する一対の支柱材部３，３の夫々に、図２の磁力発生用組込み体の斜視図に示されるように、軟鉄パイプ材部３１の軸心回り一方方向に、絶縁被膜をもつ導線４を捲回し、その一端を直流電源に接続可能に延伸させ、他端を捲着した軟鉄パイプ材部３１にろう付けしてなる磁力発生用組込み体を、例えば，軟鉄または熱処理して磁化し易くした鋼鉄製の連結金具を用い、機械的、電気的および磁気的に連接し、組込む構造とすることができる。更にまた、図３の磁力発生用組込み体の斜視図に示した、軟質合成樹脂製パイプ材部６の軸心回りの一定方向に導線４を捲着、一体化してなる磁力発生用組込み体を、平面対角位置に配置する一対の支柱材部３，３の夫々に装着し、各導線４，４の端部を適宜直流電源に、あるいは、図１中の直近の屋根型枠材部湾曲パイプ材部２１または梁材部２２等の骨格材部に接続するよう構成したものとすることが可能である。
【００２６】
【実施例２】
図４の鳥類忌避型パイプハウスの斜視図に示される事例は、この発明の鳥類忌避型パイプハウスに包含される他の実施例を示すものであり、平面対角位置に配置された支柱材部の夫々の、軸心回り所定方向に、電気的絶縁層を有する導線を、骨格体構成材部の連接方向に順次、同一磁極を発生可能とするように捲着し、夫々の導線に直接、直流電流の供給を受けて平面対角位置の支柱材部の夫々を独立する電源で磁化することができるよう構成したものである。
【００２７】
この鳥類忌避型パイプハウスは、屋根型枠材部２を支持する四本の支柱材部３，３，……の中、平面対角位置に配置された一対の支柱材部３，３の夫々に、エナメル被膜を形成した導線４，４を、骨格体構成材部の連接方向に順次、同一磁極を発生可能とするように捲着したものであって、一対の支柱材部３，３の中の一方の支柱材部３の下端側から上端側に向けて、導線４を反時計回りに捲回、装着し、該導線４の一端を直流電源用バッテリー５のプラス側に、他端を同マイナス側に接続したものとする一方、他方の支柱材部３には、導線４を上端側から下端側に向けて時計回りに捲回し、該導線４の一端をバッテリー５のマイナス側、他端側をプラス側に接続し、各バッテリー５，５から供給される直流電源によって生じる各支柱材部３，３の磁極が、屋根型枠材部２を通じて一致する如く、組み立てられたものとなっている。
【００２８】
【実施例３】
図５のパイプハウスの斜視図に示す事例は、屋根型枠材部および複数本の支柱材部からなる骨格体の平面対角位置に配置する一対の支柱材部および屋根型枠材部の殆ど全てに渡り、各骨格体構成材部の連接方向に順次、同一磁極を発生可能とするよう、その軸心回り所定方向に導線を捲着し、これら一対の支柱材部の中の一方の支柱材部に捲着された導線の端部に直流電源のプラスを、他方の支柱材部に捲着された導線の端部に直流電源のマイナスを、夫々接続して、パイプハウス全体を強力に磁化できるよう構成した鳥類忌避型パイプハウスである。
【００２９】
この鳥類忌避型パイプハウスは、平面対角位置に配置する一対の支柱材部３，３ならびに屋根型枠材部２の全てに渡り、各骨格体構成材部の、互いの連接方向に従って同一の軸心回りとなるよう、合成樹脂からなる絶縁被膜を有する一本の導線４を捲回し、該屋根型枠材部２の各湾曲パイプ材部２１，２１，……の夫々に捲回された導線４，４，……が、互いに電気的に並列状となるよう接続されたものとなっており、これら一対の支柱材部３，３の中の一方から引き出された導線４の端部を直流電源であるバッテリー５のプラス側に、他方の支柱材部３から導出された導線４の端部を同バッテリー５のマイナス側に、夫々接続して、パイプハウスの略全体に渡り導線４が捲着されたものに構成されている。
【００３０】
また、導線４の捲着は、各骨格体構成材部の夫々が連接方向に統一した磁極を発生するよう捲回する構造としているが、例えば，屋根型枠材部２のアーチ型軟鉄パイプ材部２１，２１，……の選択した複数本に発生する磁極を，逆向きに設定する逆向きの捲回方向とすることが可能である外、通電部位を部分毎に切り替え可能とすることができるよう構成することもできる。
【００３１】
【作用】
以上のとおりの構成からなるこの発明の鳥類忌避型パイプハウスは、図１に示すような構成とすれば、平面対角位置に配置された一対の支柱材部３，３に捲着された導線４，４と、該導線４，４に接続した屋根型枠材部２とによって閉回路が形成され、バッテリー５からの直流電流の供給を受けると、各支柱材部３、３にコイル状に捲着した導線４，４が、電磁石を形成して夫々の軸心部に位置された支柱材部３，３に同一方向に連続する磁極を発生させ、例えば、一対の支柱材部３，３の中の一方の上端側がＮ極、下端側がＳ極の磁界を形成し、他方の支柱材部３の上端側がＮ極、下端側がＳ極の磁界を形成するものとなり、該支柱材部３，３に対し磁気的に接続されている磁性金属材製の屋根型枠材部２全体も、連続して一致する磁極を生じるよう磁化されるものとなる。
【００３２】
また、図４に示すように構成した鳥類忌避型パイプハウスは、平面対角位置に配置する一対の支柱材部３，３の夫々に捲回された導線４，４が、個別のバッテリー５，５に接続されており、直流電流の供給を受けた各導線４，４が、一対の支柱材部３，３の夫々を、連接方向に一致する磁極を発生するよう磁化し、各支柱材部３，３に接続された屋根型枠材部２も、これに従うようにして磁化され、パイプハウス全体が磁界を発生するものとなる。
【００３３】
図５に示されるように構成した鳥類忌避型パイプハウスは、屋根型枠材部２の全体、および平面対角位置に配置された一対の支柱材部３，３の夫々に捲回され、各支柱材部３，３の端部側から導出された導線４を、バッテリー５の直流電極に接続すれば、長尺な導線４が骨格体構成材部の各部に連接方向に従って順次、統一された磁極を発生するよう捲回されているので、パイプハウス全体が最も強力に磁化されることとなる。
【００３４】
図２に示されるような磁力発生用組込み体を使用すれば、図１に示すような鳥類忌避型パイプハウスの組立作業の際に、導線４の捲着作業を行う必要が無くなり、通常のパイプハウスと略同等の作業工程で組み込み可能となる外、既に設営されている既存のパイプハウスにも、部品の交換というかたちで容易に組み込むことが可能である。また、図３のような磁力発生用組込み体は、屋根型枠材部２の湾曲パイプ材部２１や梁材部２２、あるいは支柱材部３，３，……といった各骨格体構成材部に、そのまま装着することが可能であり、簡単な作業で設置箇所の移動や、既存のパイプハウスへの組込みが可能となる。
【００３５】
【効果】
以上のとおり、この発明の鳥類忌避型パイプハウスによれば、パイプハウスの略全体に渡って磁界を発生させ、近付く野鳥の方位認識機能を混濁させ、殊にコムクドリやムクドリ等といった果実を狙って飛来する野鳥を混乱させ、遠避けることができ、毎年訪れては園芸農家が栽培する果樹に多大な被害を与えてきた鳥類を撃退し、長期に渡ってその忌避作用を維持して周辺から野鳥を追放することができる上、従前から裂果防止に必須であったパイプハウス自体を磁化してしまうので、専用の設置スペースを必要とせず、敷地の有効利用が可能であり、農業機械の移動や農薬散布作業の障害となることなく、従来同様に農作業を行うことができるという秀れた特徴を発揮することができるものである。
【００３６】
また、この発明の鳥類忌避型パイプハウスに使用する磁力発生用組込み体を用いれば、既存のパイプハウスに付加的に設けるだけで、パイプハウスの略全体を磁化することが可能となり、既に設置されたパイプハウスの一部部品を交換したり、従来のパイプハウスを購入して組み込むことにより、簡単に鳥類忌避型パイプハウスに改造することができる上、変更しなければならない部品も最小限に抑えることができ、廉価な部品で野鳥を悉く且つ長期に渡って忌避させることができるという秀でた効果を得ることができる。
【００３７】
特に、実施例に説明した鳥類忌避型パイプハウスは、上記した特徴に加え、平面対角位置に配置される一対の支柱材部３，３の夫々のみに導線４，４を捲回し、屋根型枠材部２を通じて閉回路を形成する如く直流電源となるバッテリー５を接続する構造としたことにより、その配線構造を簡素化することができると共に、骨格体１の各パイプ材部の端部夫々に、連接方向に連なるＮ極とＳ極とを整然と形成する磁界を発生させることができる上、屋根型枠材部２の各パイプ材部２１，２１，……２２，２２，……を流れる電流が、同パイプ材部２１，２１，……２２，２２，……の外周側に同心状とする別の磁力線を発生させて、地球の磁力を頼りに飛来する野鳥に、より複雑で怪奇な場所であることを印象付け、強力に追い払うことができるものとすることができる。
【００３８】
また、平面対角位置に配置する一対の支柱材部３，３の夫々に、個別の直流電源となるバッテリー５，５を接続する構造とすれば、広大な敷地に設営された大型のパイプハウスであっても、長尺な配線を必要とせず、忌避効果を確認しながら設置箇所を簡単且つ自由に移動して、磁界の強さを自在に調節することができるので、万が一設置後に僅かながら野鳥が遣って来てしまうような場合にも、更に強力な忌避作用が得られるよう随時、追加設置することができるという利点を有するものとすることができ、更にまた、平面対角位置に配置する一対の支柱材部３，３および屋根型枠材部２の略全体に渡り、導線４を捲着した構造とすれば、最も強烈な磁界を発生させるものとなり、遠方に居る野鳥にも影響を与えて一切の害鳥を強力に忌避することができるという優れた効果を発揮できる。
【００３９】
更にまた、支柱材部３となる軟鉄パイプ材部３１に導線４を捲着した磁力発生用組込み体を使用すれば、既存の標準的な構造のパイプハウスに容易に組み込むことが可能である上、特段の製品知識が無くともパイプハウス全体を簡便に磁化することができ、多額の設備投資を必要とせずに即座に野鳥を追放することができるという特徴を備えたものとすることができる。
【００４０】
叙述の如く、この発明の鳥類忌避型パイプハウス、およびそれに使用する磁力発生用組込み体は、その新規な構成によって所期の目的を遍く達成可能とするものであり、しかも，製造も容易で、従来型のパイプハウスに兼用することができるので、従前に製品化された多数の鳥類威嚇装置類の単価に比較し、遥かに経済的なものとすることができると共に、専用の設置スペースを必要としないので農作業の妨げとならず、野鳥の忌避効果を永く発揮できる上、駆動機構を持たないのでメンテナンスが殆ど不要であることから，維持管理が簡単で、毎年多額に及んでいた鳥害対策の費用を大幅に削減することができ、品質の高い果実の安定生産や経費の削減等、多くの課題を抱える園芸農家からは勿論のこと、これに関連する農機具業界においても高く評価され、広範に渡って利用、普及していくものになると予想される。
【図面の簡単な説明】
図面は、この発明の鳥類忌避型パイプハウス、およびそれに使用する磁力発生用組込み体の技術的思想を具現化した代表的な幾つかの実施例を示すものである。
【図１】鳥類忌避型パイプハウスの構造を示す斜視図である。
【図２】磁力発生用組込み体の構造を示す斜視図である。
【図３】磁力発生用組込み体の他の実施例を示す斜視図である。
【図４】鳥類忌避型パイプハウスの他の実施例を示す斜視図である。
【図５】鳥類忌避型パイプハウスの更に他の実施例を示す斜視図である。
【符号の説明】
１      骨格体
２      屋根型枠材部
２１    同  湾曲パイプ材部
２２    同  梁材部
３      支柱材部
３１    同  軟鉄パイプ材部
４      導線
５      バッテリー
６      軟質合成樹脂製パイプ材部
【図１】
0003561723.tif 000002
【図２】
0003561723.tif 000003
【図３】
0003561723.tif 000004
【図４】
0003561723.tif 000005
【図５】
0003561723.tif 000006